(57)【要約】【課題】  手首や手の甲に取り付け、人体の他の箇所の汗を自由自在に、しかも皮膚に当てるだけで速やかに汗を吸い取り、多量に汗を吸収することができる汗取りバンドを提供する。【解決手段】  手首および／または手の甲に取り付け、該手首および手の甲以外の人体の箇所に当てて汗を拭きとる汗取りバンドであって、少なくとも２枚の基材の間に吸水性樹脂を含み、該基材の内少なくとも最も外側の基材は下記吸水速度試験法による吸水速度が５秒以下の通水性を有する布帛（Ａ）である汗取りバンドである。吸水速度試験法：２５℃において生理食塩水０．５ｍｌを布帛の表面に落とし該表面から生理食塩水の光沢が消失するまでの時間（秒）を測定する。【選択図】  図２
2014091886.tif 000002
【特許請求の範囲】
【請求項１】
手首および／または手の甲に取り付け、該手首および手の甲以外の人体の箇所に当てて汗を拭きとる汗取りバンドであって、少なくとも２枚の基材の間に吸水性樹脂を含み、該基材の内少なくとも最も外側の基材は下記吸水速度試験法による吸水速度が５秒以下の通水性を有する布帛（Ａ）である汗取りバンド。
吸水速度試験法：２５℃において生理食塩水０．５ｍｌを布帛の表面に落とし該表面から生理食塩水の光沢が消失するまでの時間（秒）を測定する。
【請求項２】
前記吸水速度が２秒以下であることを特徴とする汗取りバンド  
【請求項３】
前記布帛（Ａ）がマイクロファイバーおよび／またはナノファイバーで構成されていることを特徴とする請求項１または２記載の汗取りバンド。
【請求項４】
請求項１〜３のいずれか１項に記載の汗取りバンドの前記布帛を手首および手の甲以外の人体の皮膚に当てて汗を拭き取る方法。
【発明の詳細な説明】
【技術分野】
【０００１】
本発明は、汗取りバンドおよび汗取り方法に関する。詳しくは手首および／または手の甲に取り付けて頭部や首部などの汗を拭きとる汗取りバンドおよびその方法に関する。
【背景技術】
【０００２】
夏の暑い時期に発生する汗、風邪などで人体の発熱に伴う汗、工場における作業時に発生する汗、あるいは運動などで発生する汗は、通常タオルやハンカチで拭き取られる。このタオルやハンカチは容器やポケットから取り出さなければならず面倒であり、その代りに用いるものが提案されている。たとえば、内部に吸水質材を内蔵し構成された帯状の汗取りバンドを頭部や首、腕、手首などに巻きつけて使用したり（たとえば特許文献１）、伸縮自在な帯状布で形成され片面側に高吸水性樹脂からなる高吸収シートが透水性のあるカバーに包んで頭又は手首に取り付けられた汗取りバンド（たとえば特許文献２）、汗ふき用の生地を手袋のポケットに入れ、この生地で汗を拭くと手ぬぐいやハンカチを携帯しなくてすむという汗拭き付き手袋（たとえば特許文献３）などが提案されている。
【先行技術文献】
【特許文献】
【０００３】
【特許文献１】特開平８−１５８１３７号公報
【特許文献２】実開昭６４−３７４３５号公報
【特許文献３】特開２０１１−５８１５４号公報
【発明の開示】
【発明が解決しようとする課題】
【０００４】
しかしながら、前記二つの汗取りバンドは、これを巻いた箇所の汗を拭きとるだけで、人体の別の箇所の汗まで拭き取るものではなく、そのように設計されていない。後者の汗ふき付き手袋は、汗を拭くものは吸水性の布であるが、すぐ汗で濡れてしまい多量の汗を拭きとることができない。また手袋のポケットに入れるものであるので入れる布の大きさに限界があり多量に汗が出た時に対応ができないし、廃棄するか収納する箇所が必要である。タオルやハンカチの代りに多量の汗を拭きとる汗取りが望まれている。
本発明の目的は、手首や手の甲に取り付け、人体の他の箇所の汗を自由自在に、しかも皮膚に当てるだけで速やかに汗を吸い取り、多量に汗を吸収することができる汗取りバンドを提供することである。
【課題を解決するための手段】
【０００５】
本発明者らは、上記の課題に鑑み、鋭意研究の結果、汗を速やかにしかも多量に吸収できるように構成した汗取りバンドを手首や手の甲に取り付ければ、頭部や首部などの汗を自由に拭き取ることができることを見出し本発明に至った。
すなわち、本発明は手首および／または手の甲に取り付け、該手首および手の甲以外の人体の箇所に当てて汗を拭きとる汗取りバンドであって、少なくとも２枚の基材の間に吸水性樹脂を含み、該基材の内少なくとも最も外側の基材は下記吸水速度試験法による吸水速度が５秒以下の通水性を有する布帛（Ａ）である汗取りバンドである。
吸水速度試験法：２５℃において生理食塩水０．５ｍｌを布帛の表面に落とし該表面から生理食塩水の光沢が消失するまでの時間（秒）を測定する。
【０００６】
さらに本発明は、上記吸水速度が２秒以下であることを特徴とする。
さらに本発明は、上記布帛（Ａ）がマイクロファイバーおよび／またはナノファイバーで構成されていることを特徴とする。
また本発明は、上記の汗取りバンドの布帛（Ａ）を手首および手の甲以外の人体の皮膚に当てて汗を拭き取る方法である。
【発明の効果】
【０００７】
本発明によれば、汗取りバンドは手首や手の甲に取り付けられているので、自分の手で自由に頭部や首部などの汗を拭きとることができる。また少なくとも表側の基材が上記吸水速度試験法による吸水速度が５秒以下の布帛（Ａ）であるので、この面で汗をすばやく吸収することができ、しかも吸収された汗は中に移動し中にある吸水性樹脂に吸収される。吸水性樹脂は吸水量が大きく、一つの汗取りバンドで大量の汗を拭きとることができるので、多数回汗を拭きとることができる。
【０００８】
また、本発明によれば、汗取りバンドの前記布帛（Ａ）の吸水速度が２秒以下であるので、さらに汗をすばやく吸収することができる。
さらに本発明は、前記布帛（Ａ）がマイクロファイバーおよび／またはナノファイバーで構成されているので、汗を非常に速く吸収し、その汗が中の吸水性樹脂に速やかに移行し、そのため表面は乾いた状態になり、何回でも汗をふきとることができる。
【０００９】
また、本発明の方法によれば、吸水速度の大きい布帛（Ａ）で汗を拭きとるので、すばやく汗を吸収でき、かつ内側にある吸水性樹脂がその汗を吸収するので、何回でも汗を拭きとることができる。
【図面の簡単な説明】
【００１０】
【図１】本発明における汗取りバンドの一つの実施態様である。（ａ）は、手首に汗取りバンドを取り付けた斜視図であり、（ｂ）は、Ｘ−Ｙ軸を含む長軸方向に垂直な切断面における汗取りバンドの断面図である。
【図２】本発明における汗取りバンドの一つの実施態様である。（ａ）は、手の甲に汗取りバンドを取り付けた斜視図であり、（ｂ）は、Ｘ'−Ｙ'軸を含む長軸方向に垂直な切断面における汗取りバンドの断面図である。
【発明を実施するための形態】
【００１１】
以下、本発明の実施の形態につき、説明する。なお、本発明は、以下の実施の形態に限定されるものではない。本発明と同一および均等の範囲内において、以下の実施の形態に対して種々の変更を加えることが可能である。
【００１２】
本発明の汗取りバンドは、少なくとも２枚の基材の間に吸水性樹脂を含み、該基材の内少なくとも最も外側の基材は下記吸水速度試験法による吸水速度が５秒以下の通水性を有する布帛（Ａ）である。
吸水速度試験法：２５℃において生理食塩水０．５ｍｌを布帛の表面に落とし該表面から生理食塩水の光沢が消失するまでの時間（秒）を測定する
吸水速度が５秒を超えると人体の汗をすばやく吸収することができず、汗取りバンドとして使用しづらく快適ではなくなる。該吸水速度は速いほど好ましい。
該布帛（Ａ）の形態としては、編布、織布、不織布などが挙げられ、柔軟性・上記の通水速度を有する通水性を有し、且つ汗を拭いたときに破れない程度の湿潤強度があればよい。
【００１３】
該布帛（Ａ）の材質は、綿、麻、セルロース、パルプなどの天然繊維、ナイロン、ポバール、レーヨンなどの合成〜半合成繊維から形成されているものが挙げられる。
また、該布帛（Ａ）の吸水速度は、前記吸水速度試験法において２秒以下であるのがさらに好ましい。吸水速度が２秒以下であると、人体の汗をさらにすばやく吸収して、中の吸水性樹脂に汗を移行させるので、通水性面はドライ感があり汚れにくいという効果を有する。
吸水速度が２秒以下となるのは、前記繊維を吸水加工した布帛であるとか、布帛にするときの目付などを変えても得られるが、高吸水性繊維、マイクロファイバー、ナノファイバーなどの特殊繊維による布帛が好ましく使用でき、その中でもマイクロファイバー、ナノファイバー繊維で形成された布帛が特に好ましい。
【００１４】
上記の高吸水性繊維としては、たとえばポリアクリル酸塩架橋物が挙げられ、吸水性樹脂を繊維状にしたものが使用できる。
マイクロファイバーは、化学的に組成された８マイクロメーター以下の極細のナイロンやポリエステルなどの繊維であり、たとえば、０．０１〜５０デニール、より好ましくは０．０１〜０．９９デニールのスプリットマイクロファイバー、アンスプリットマイクロファイバー、又はそれらの組み合わせが挙げられる。また、重量％の割合が５０／５０〜９０／１０であるポリエステルおよびポリアミドからなるマイクロファイバー；１００％ポリエステルのマイクロファイバー；及び１００％ポリアミド（ナイロン）のマイクロファイバーが挙げられる。マイクロファイバーからなる布帛は、極細繊維を束ねているので繊維間に多くの空間を有しており、毛管作用により吸汗性が大きい。さらにマイクロファイバーを繊維を押し出しにより紡績した後で、裂いて畝と溝を生成したものが、さらに毛管作用を助長するので好ましく、ボイドスペースに汗が引き込まれる。マイクロファイバーで形成された布帛は、たとえば、１平方インチ当たり９０，０００〜１８０，０００のマイクロファイバーを有し得るので、汗を含む表面と接触するのに広い表面領域を有する。同様に、多数の繊維により、それに比例して毛管作用の量および汗が吸い込まれるボイドスペースの量が増大する。
【００１５】
ナノファイバーは、マイクロファイバーよりもさらに平均繊維径を小さくした超極細繊維であり、好ましくは１〜８００ｎｍ、より好ましくは１０〜７００ｎｍである。ナノファイバーを構成する樹脂としては、たとえば、ポリ乳酸、ポリアミド、ポリウレタン、ポリアクリロニトリル、ポリスチレン、ポリイミド、ポリエチレン、ポリプロピレン、ポリエステル、ポリビニルアルコール、ポリエチレングリコール、ポリオキシエチレン、ポリビニルピロリドン、ポリ酢酸ビニル、でんぷん、カルボキシメチルセルロースなどが挙げられる。繊維は、単独樹脂からなる繊維でも２種類以上の樹脂からなる複合繊維でもよい。複合繊維の形状は、サイドバイサイド型複合繊維、芯鞘繊維、複合中空繊維などが挙げられる。また、繊維の単糸断面形状は、円形、三角形、扁平、多葉、多孔などが挙げられ、これらの中から用途等に合わせて適宜選択すればよい。また、ナノファイバーから構成される布帛の厚みは、１μｍ以上が好ましい。厚みが１μｍ未満であると、ハンドリング性および加工性が低下する場合がある。好ましくは１０〜１００μｍである。ナノファイバーはマイクロファイバーと同等またはより優れた吸汗性能を有する。
【００１６】
本発明における二つの基材の間にある吸水性樹脂としては、天然系でも合成系でも特に限定はないが、安価で、安全性、耐久性、吸水倍率や吸水速度などの吸水特性に優れ、かつ、腐敗の心配の無いものが好ましい。
このようなものとして特に合成系の吸水性樹脂が挙げられ、吸水・膨潤するものであれば特に限定されるものではないが、たとえば、ポリアクリル酸部分中和物架橋体、デンプン−アクリル酸グラフト重合体の中和物、デンプン−アクリロニトリルグラフト重合体の加水分解物、酢酸ビニル−アクリル酸エステル共重合体のケン化物、イソブチレン−無水マレイン酸共重合架橋体、アクリロニトリル共重合体若しくはアクリルアミド共重合体の加水分解物またはこれらの架橋体、アクリル酸塩−アクリルアミド共重合架橋体、ポリビニルアルコール架橋体、変性ポリエチレンオキサイド架橋体、アクリルアミド−２−メチルプロパンスルホン酸塩共重合架橋体、（メタ）アクリロイルアルカンスルホン酸塩共重合架橋体、架橋カルボキシメチルセルロース塩、カチオン性モノマーの架橋重合体などが挙げられる。これらのうち、ポリアクリル酸部分中和物架橋体、および、デンプン−アクリル酸グラフト重合体の中和物が、吸水膨潤特性、保水性、安全性や経済性などが特に良好であるため好ましい。
【００１７】
吸水性樹脂は、重合して得られる吸水性樹脂の含水ゲル状重合体を乾燥後、粉砕し、さらに必要により粒度調整して得られる吸収剤粒子の表面近傍を、カルボキシル基などの酸基及び／又はその塩基と反応しうる官能基を少なくとも２個有する架橋剤で表面架橋して表面架橋型の吸水性樹脂とすることもできる。
このような表面架橋型の吸水性樹脂は、常圧下だけでなく加圧下においても吸収性能と吸収速度に優れ、かつゲル強度も大きくなるので、汗取りバンドをいくらか押さえて汗を吸収させる本発明に好適である。
【００１８】
表面架橋に使用する架橋剤としては、従来から使用されている公知の架橋剤が適用できる。具体的な例としては、１分子中にエポキシ基を２〜１０個有するポリグリシジルエーテル化合物［エチレングリコールジグリシジルエーテル、グリセリン−１，３−ジグリシジルエーテル、グリセリントリグリシジルエーテルなど］；２価〜２０価のポリオール化合物［グリセリン、エチレングリコール、ポリエチレングリコール（重合度２〜１００）など］；２価〜２０価のポリアミン化合物（エチレンジアミン、ジエチレントリアミンなど）；分子量２００〜５００，０００のポリアミン系樹脂（ポリアミドポリアミンエピクロルヒドリン樹脂、ポリアミンエピクロルヒドリン樹脂など）、アルキレンカーボネイト［エチレンカーボネイトなど］、アジリジン化合物、オキサゾリン化合物、ポリイミン化合物などが挙げられる。
これらのうちで好ましいものは、比較的低い温度で表面架橋を行わせることができるという点で、ポリグリシジルエーテル化合物、ポリアミン系樹脂及びアジリジン化合物である。
【００１９】
表面架橋における架橋剤の量は、架橋剤の種類、架橋させる条件、目標とする性能などにより種々変化させることができるため特に限定はないが、吸水性樹脂に対して好ましくは０．００１〜３重量％であり、より好ましくは０．０１〜２重量％であり、特に好ましくは０．０５〜１重量％である。架橋剤の量が０．００１重量％未満では表面架橋を行わない吸水性樹脂と性能面で大差はない。一方、３重量％を超えると、吸収性能が低下する傾向にあり好ましくない。
【００２０】
これらの吸水性樹脂は、単独で用いてもよく、また、二種類以上を適宜混合して用いてもよい。上記吸水性樹脂は、所定形状に造粒されていてもよく、また、不定形破砕状、球状、鱗片状、繊維状、棒状、塊状、粉末状など、種々の形状であってもよいが、吸水性能すなわち吸汗性能を向上させるために、粉末状であることがより好ましい。
【００２１】
粒子の平均粒子径について特に限定はないが、好ましくは３０〜８５０μｍであり、より好ましくは６０〜４００μｍである。３０μｍより大きいと基材から吸水性樹脂の粉末が漏れにくくなり、８５０μｍより小さいと吸汗性が良好である。粒度分布は特に限定はないが、好ましくは３０〜８５０μｍの範囲の粒子が９５質量％以上になるような粒度分布である。ここで平均粒子径は質量平均粒子径を意味し、質量平均粒子径は、架橋重合体の各粒度分布を横軸が粒子径、縦軸が質量基準の含有量の対数確率紙にプロットし、全体の５０％を占めるところの粒子径を求める方法により測定する。たとえば、通常の篩振とう法が適用できる。
【００２２】
上記吸水性樹脂の吸水倍率は重量で１００〜１０００倍であるのが好ましい。吸水倍率は下記の方法で測定できる。
＜吸水性樹脂の吸水倍率の測定法＞
ナイロン製の網袋（２５０メッシュ）に吸水性樹脂の試料（サンプル量；Ｘｇ）を入れ、これを袋ごと過剰の水に浸した。浸漬６０分後に袋ごと空中に引き上げ、静置して１５分間水切りした後、質量（Ｙｇ）を測定して下式より吸水倍率を求めた。［網袋のみを用いて上記と同様の操作を行い、この分の質量（Ｚｇ）をブランクとして差し引いた。］
吸水倍率＝（Ｙ−Ｚ）／Ｘ
【００２３】
また、吸水性樹脂の吸水速度は、好ましくは５〜５０秒であり、より好ましくは５〜２０秒である。吸水速度が５秒以上であると、空気中の湿度の影響で吸水性樹脂同士のブロッキングなどが生じにくくなり、使う前に「ままこ」がないので使いやすい。吸水速度が５０秒以下であると、上記布帛（Ａ）が吸収した汗を速く吸収することができる。
【００２４】
吸水性樹脂の吸水速度は下記の方法で測定できる。
＜吸水性樹脂の吸水速度の測定法＞
１．１００ｍＬのガラスビーカーに水道水を５０ｍＬ入れ、マグネットスターラー〔直径（中央部８ｍｍ、両端７ｍｍ）、長さ３０ｍｍのフッ素樹脂コーテイングされたもの〕を用いて６００ｒｐｍで攪拌する。
２．試料２．００試験サンプルを渦中に一度に投入し、投入した時から渦が消えて液面が水平になった時点までの時間（秒）を測定し、吸水速度とする。
【００２５】
また、吸水性樹脂としては、低分子の水可溶性成分、たとえば、アクリル酸のオリゴマーなどの低分子などは少ない方が好ましい。これらの水可溶性成分は、汗を拭いたときに皮膚にヌメリ感を与え感触がよくない。吸水性樹脂中の水可溶性成分が１０重量％以下であると皮膚にヌメリ感が少なく、５重量％以下であるとさらに少なく感じ、１重量％以下のものが、触った時にヌメリ感がほとんどないので好ましい。水可溶性成分の測定法は、特開２００５−４４５公報などに記載された重量測定法や、電滴法などの方法で測定できる。
【００２６】
また、吸水性樹脂の粉末の代りに、吸水性樹脂の粉末などを通気性基材に固定したシート（吸水シート）を用いることができ、公知の吸水シートを使用することができる。吸水シートにしたものを用いると吸水性樹脂の粉末などが吸水シートに均一に存在するので、粉末などを用いる場合よりも偏りが少なくなるので好ましい。
吸水シートにする場合には、上記の吸水性樹脂の粉末などと共に、水不溶性吸水・保水材を同時に含ませてもよい。水不溶性吸水・保水材としては、吸水して膨潤する吸水性樹脂以外のもの、たとえば、パルプ、吸水性繊維、ヤシガラ、モミガラ、木くず、木粉、木綿、オガクズ、ワラ、ヤシ殻活性炭などの有機系水不溶性吸水・保水材やパーライト、ロックウール、多孔質セラミック、バーミキュライト、軽石などの無機系水不溶性吸水・保水材が挙げられる。
【００２７】
吸水シートの構成として好ましいものは、布（特に好ましくは不織布）、紙などの通水性基材の片面または両面に粘着剤やバインダー樹脂を用いてまたは抄紙によって吸水性樹脂粉末を固定化したものであり、特に好ましいものは、紙や不織布などの通水性基材でサンドイッチ状に挟んだ後、エンボス加工法、ニードルパンチ法で吸水性樹脂を一体化したもの；プラスチックフィルムの片面に粘着剤やバインダー樹脂を用いて吸水性樹脂粉末を固定させ、そのまままたは片面に上記通水性基材を被せたもの、たとえば、セロハンやビニールの粘着テープを用いて、粘着面に吸水性樹脂粉末を散布しそのまままたは不織布などの通水性基材を被せて圧着ロールで固定したものなどが挙げられる。
【００２８】
汗取りバンドにおける汗を吸収する区域（以下、「汗取り部」という場合がある）における吸水性樹脂の量は、粉末であれ吸水シートであれ、好ましくは０．２〜５０ｇ／ｍ２、より好ましくは０．５〜２０ｇ／ｍ２である。含有量が０．２ｇ／ｍ２以上であると吸汗性が良好であり、多量に汗を吸収することができる。５０ｇ／ｍ２以下であると汗を吸っても膨潤しすぎず見栄えもよく経済性も良好である。
【００２９】
また、吸水性樹脂に加え必要に応じて消臭剤、芳香剤、殺菌剤、ブロッキング防止剤［例えばシリカ、タルク、酸化チタン、炭酸カルシウムなどの無機系ブロッキング防止剤、粒子径１０μ以下の熱硬化性ポリウレタン樹脂、グアナミン系樹脂、エポキシ系樹脂、熱可塑性ポリウレタンウレア樹脂、ポリ（メタ）アクリレート樹脂などの有機系ブロッキング防止剤など］、界面活性剤、他の吸収剤（パルプ、ＣＭＣ、ベントナイトなど）を添加することができる。添加量は吸水性樹脂の吸汗性を妨げない範囲であれば特に限定はないが、好ましくは吸水性樹脂１００質量部に対して５０質量部以下、さらに好ましくは２０重量部以下、特に好ましくは１０重量部以下である。
【００３０】
汗取りバンドの構成は、少なくとも２枚の基材の間に吸水性樹脂を含み、該基材の内少なくとも最も外側の基材は上記吸水速度試験法による吸水速度が５秒以下の通水性を有する布帛（Ａ）であれば限定はない。外側の基材とは手にバンドを取り付けたとき皮膚とは反対側の面をいう。内側の基材は、外側の基材と袋を形成してもよいし、バンド基材であってもよい。また、内側の基材は表側の基材であっても非通水性基材であってもよい。このときの通水性基材は前記と同じものであってもよいし、吸水速度が５秒を超える通水性基材のものでもよい。非通水性基材は、ポリエステル、ポリウレタン、ポリエチレン、ポリプロピレンなどの疎水性繊維から形成される布帛やプラスチックフィルムが挙げられるが、特に限定はない。また、吸水性樹脂と表側の基材の間にさらに通水性のある基材があってもよい。
【００３１】
このような汗取りバンドの構成は、具体的にはたとえば、（１）布帛（Ａ）で偏平状袋を構成し、その中に吸水性樹脂や吸水シートを入れたもの、（２）綿織物などの通水性基材で偏平状袋を構成し、その中に吸水性樹脂や吸水シートを入れ、偏平状袋の外側に少なくとも表側の面を吸水速度の大きい布帛（Ａ）で覆ったもの、などの汗取り部をそれ自体でバンド状に構成したり、下記のバンドに結合したものが挙げられる。
バンドは通常の方法で作成でき、たとえば、バンド基材である伸縮性材料でリングを形成したり、一枚のバンド基材である長尺状の布の両端をマジックテープ（登録商標）やその他の方法で係合してリングを形成することでバンドが作成できる。そのバンドの上に上記の（１）、（２）の汗取り部を結合させたものが挙げられるが、これらに限定されない。
【００３２】
上記の偏平状袋を作成する場合、１区画又は２区画以上に分割、好ましくは１区画又は２〜５区画に分割されるように上下間で縫合やヒートシールなどがされており、分割された各々の空間に単位広さ当たり均等に吸水性樹脂が充填されているのが良い。これによって、吸水性樹脂が袋内の一側に偏るのを防止できるからである。また、吸水性樹脂の偏りを防ぐために、吸水性樹脂の代わりに不織布などの基材に吸水性樹脂を塗工したり、不織布などの基材で吸水性樹脂をサンドイッチしたシートを袋部の中に入れても良い。
偏平状袋の周辺には、吸水性樹脂の粉落ちを防止するため端を折り曲げて縫製したり、必要によりヘムを取り付けて縫製しても良い。また、縫い目からの粉落ちを防止するために、細い針と細い糸を使用することが好ましい。また必要により縫い目を後から樹脂加工等により目つぶしすることもできる。
【００３３】
偏平状袋は、公知の方法で製造することができる。たとえば、上記のように１区画又は２区画以上の袋部を設け、各袋部の中に粉末状吸水性樹脂又はシート状若しくは薄板状に形成された吸水性樹脂が封入された形態が挙げられる。    
偏平状袋をつくるための接合手段としては、特に限定されないが、例えば縫製、ヒートシール、接着剤、熱融着テープを布と布との間に介在させて熱により融着する方法などがある。好ましくは縫製とヒートシールである。
【００３４】
バンド基材にポケットが取り付けられ、吸水性樹脂が入った偏平状袋がポケットの中に交換可能になるように入れられてもよい。
ポケットが取り付けられる場合は、ポケットの外側の面が布帛（Ａ）であるか、さらに布帛（Ａ）で形成された偏平状袋がポケットに挿入される場合、ポケットの表面がメッシュ状物で形成される。メッシュ状物が最も外側である場合においても、偏平状袋を形成する布帛（Ａ）の吸汗性が実質上抑制されないので、本発明の範囲に含めることとする。ここでメッシュ状物とは、通水性を有した多数の目開きのあるものを意味し、たとえば網状組織のネットやメッシュ織物などが挙げられる。多数の目開き部を有することにより通水性が具備される。
【００３５】
バンド基材は手首や手の甲に巻いて使用されるが、汗取り部はバンド基材の一部または全部に重なるように取り付けられる。好ましくは汗取り部はバンド基材の長さの１／３〜３／４であるのが使用上、汗を拭き取る効果の点で好ましい。バンド基材を手首や手の甲に取り付ける方法に限定はなく、使用上問題なければよい。たとえば、リストバンドのように伸縮性のあるゴムで全体を捲いたり、巻いた後チャック止め、はめ合わせ、かみ合わせ、マジックテープ（登録商標）などの係止方法で止めたり、紐で縛って止めてもよい。
【００３６】
汗取りバンドの汗取り部の大きさは、手首や手の甲の大きさに合わせて決められるが、好ましくは巾１ｃｍ〜１５ｃｍ、長さ５ｃｍ〜２０ｃｍであり、形状は特に限定はなく、帯状や三角形などがある。汗取りバンドの大きさも特に限定ないが、上記汗取り部以上の大きさがあればよく、形状も手首や手の甲またはその両方にまたがって備えられるものであれば限定はない。
【００３７】
図１、２に本発明の汗取りバンドの実施態様の例を示したが、これらに限定されない。図１（ａ）は、手首に汗取りバンドを取り付けた斜視図である。図２（ａ）は、手の甲に汗取りバンドを取り付けた斜視図である。図１（ｂ）は、Ｘ−Ｙ軸を含む長軸方向に垂直な切断面における汗取りバンドの断面図である。図２（ｂ）は、Ｘ'−Ｙ'軸を含む長軸方向に垂直な切断面における汗取りバンドの断面図である。
【００３８】
図１において、汗取りバンド１の外側はマイクロファイバー製布帛２で覆われており、マイクロファイバー製布帛２の下には吸水シート３が入っている。汗取りバンド１は手首に巻かれて両端がマジックテープ（登録商標）のような留め具４で留められている。汗はマイクロファイバー製布帛２で拭き取られ、吸収された汗は吸水シートに吸収される。
図２において、手の甲に取り付けられた汗取りバンド１の表面には網目状のポケット５が取り付けられており、汗取り部６となっている。ポケット５の中にはマイクロファイバー製布帛２で作成された偏平状袋７が入っており、その偏平状袋７の中に吸収性樹脂８が入っている。手の甲にある広い汗取り部６でたとえば額の汗を拭くと汗はポケット５の網目を通って偏平状袋７のマイクロファイバー製布帛２に即座に吸収され、吸収された汗は偏平状袋７の中にある吸水性樹脂８に吸収される。
【００３９】
以下実施例により本発明をさらに説明するが、本発明はこれらに限定されるものではない。
（実施例１）
吸水性樹脂として、平均粒径２００μｍ、吸水倍率１００ｇ／ｇ、水可溶性成分含量１．５％の架橋されたポリアクリル酸ソーダＡ（表面架橋有り）を準備した。
別途、サイズ６×８ｃｍのマイクロファイバー製織物（通気度は１４ｃｍ３／ｃｍ２・ｓｅｃ、吸水速度は１秒以内）を２枚準備した。この２枚を重ね合わせ、二つの短軸の辺を残して長軸方向の二辺の端を縫製し、さらに長軸方向に２区画に均等に分けるように縫合した。分割された両側の空間に未縫合の両端の辺から上記吸水性樹脂０．１ｇをそれぞれ充填し、それらの両端を縫合することによって両面が通水性の吸水性樹脂入り偏平状袋Ａを製造した。
これとは別にバンド基材として幅６ｃｍ、長さ１５ｃｍの厚手の伸縮性ウレタン製織物を準備し、長軸方向の両端にそれぞれ雄雌の面ファスナーを付けた。この織物の中央部に上記偏平状袋Ａを幅を合わせて端を縫製して取り付けて、本発明の汗取りバンドＡを製造した。この汗取りバンドＡを左手の手首に偏平状袋Ａが上になるようにして巻き付け面ファスナーで閉じて図１（ａ）のようにセットした。
炎天下、額に汗が出た時この汗の箇所に偏平状袋Ａを当てると、即座に汗を吸収して額の汗がなくなった。しばらくすると偏平状袋Ａの表面の濡れた部分が乾いてきた。このとき表面を触ってもヌメリ感はなかった。これを５回繰り返すと中の吸水性樹脂が膨らんできた。
【００４０】
（実施例２）
実施例１において、ポリアクリル酸ソーダＡに替えて、平均粒径１５０μｍ、吸水倍率３５０ｇ／ｇ、水可溶性成分量２．０％の架橋されたポリアクリル酸ソーダＢ（表面架橋有り）を用い、マイクロファイバー製織物に替えてナノファイバー製織物（通気度は２０ｃｍ３／ｃｍ２・ｓｅｃ、吸水速度は１秒以内）を用いる以外は実施例１と同様にして、両面が通水性の吸水性樹脂入り偏平状袋Ｂを作成した。一方、図２（ｂ）のように親指を挟んで取り付けられる構成の厚手の伸縮性ウレタン製織物からなるバンドを準備し、その表面に粗い網目状のポケットを取り付けた。ポケットは片方に開きを設け、その開きからポケット内に偏平状袋Ｂを挿入して本発明の汗取りバンドＢを製造した。この汗取りバンドを図２（ｂ）のように手の甲に取り付けた。
炎天下、額に汗が出た時この汗の箇所に汗取り部を当てると即座に汗を吸収して額の汗がなくなった。しばらくすると偏平状袋Ｂの濡れた部分が乾いてきた。このとき表面を触ってもヌメリ感はなかった。これを５回繰り返すと中の吸水性樹脂が膨らんできた。
【００４１】
（実施例３、比較例１、２）
実施例１において、マイクロファイバー製織物に替えて、吸水速度が３秒、７秒、２０秒の綿織物、エステル／綿織物を用いて汗取りバンドＣ（実施例３）、汗取りバンドＤ（比較例１）、汗取りバンドＥ（比較例２）をそれぞれ作製した。
炎天下、これらの汗取りバンドＣ、Ｄ、Ｅを実施例１と同様にして汗をふきとる操作をした。汗取りバンドＣは、汗取りバンドＡよりは吸汗性は劣ったがよく拭きとれた。また表面はやや湿った状態であったが手で触ってもほとんど濡れなかった。汗取りバンドＤ、Ｅの場合は、この順に吸汗性が悪く数回拭かないと汗は完全にぬぐえなかった。偏平状袋の汗による膨らむ速度はＤ，Ｅの順に遅くなった。
【図１】
2014091886.tif 000003
【図２】
2014091886.tif 000004